(57)【要約】【課題】簡素な方法によって体裁よく床面のコーティングを行うことができる床面コーティング方法を提供する。【解決手段】一部がコーティング剤２４に浸された塗布ローラー２２と、押さえローラー２１との間にフィルムシート１を通し、フィルムシート１の一方の面のみにコーティング剤２４を均一に塗布する。コーティング剤２４が塗布された側の面を床面５に当接させてローラー３によってローラー掛けを行う。ＵＶ放射装置４を用いてフィルムシート１の上からＵＶ照射を行い、コーティング剤２４を乾燥硬化させる。その後、フィルムシート１を剥離する。これにより、コーティング剤２４が均一に塗布され、仕上げ面に凹凸や塗布不良の発生を防止できる。硬化乾燥前はコーティング剤２４の上側がフィルムシート１によって覆われているため、ゴミなどが表面に付着することがなく、仕上げ面を平滑に仕上げることができる。【選択図】図１
2009273960.tif 000002
【特許請求の範囲】
【請求項１】
床面をコーティングするコーティング方法であって、
フィルムシートの一方の面にＵＶ放射によって乾燥硬化するコーティング剤を塗布し、
該フィルムシートをコーティング剤が塗布された側の面を床面に向け、前記フィルムシートの他方の面上よりローラー掛けを行って前記コーティング剤と床面とを密着させて伸展させ、
前記フィルムシート上からＵＶ放射を行って前記コーティング剤を乾燥硬化させ、
前記コーティング剤の乾燥硬化後に前記フィルムシートを剥離する、
ことを特徴とする床面コーティング方法。
【請求項２】
一部がコーティング剤に浸された塗布ローラーと、押さえローラーとの間に前記フィルムシートを通すことによって、前記フィルムシートの一方の面にコーティング剤を塗布することを特徴とする請求項１に記載の床面コーティング方法。
【請求項３】
床面をコーティングするコーティング方法であって、
床面にコーティング剤を塗布し、床面に引き延ばした後、
コーティング剤表面をフィルムシートで覆い、
フィルムシートの上よりローラー掛けを行ってコーティング剤と床面とを密着させて伸展させ、
さらにフィルムシート上からＵＶ放射を行ってコーティング剤を乾燥硬化させ、
コーティング剤の乾燥硬化後に前記フィルムシートを剥離する、
ことを特徴とする床面コーティング方法。
【発明の詳細な説明】
【技術分野】
【０００１】
本発明は、工場、店舗等の床面を樹脂等のコーティング剤によってコーティングする床面コーティング方法に関する。
【背景技術】
【０００２】
従来、工場、店舗等において、汚れの防止や耐久性を向上させるために、床面にコーティング剤を塗布することが行われている。
このコーティング剤としては、ＵＶ放射によって硬化する樹脂が用いられている。
コーティング剤によって床面をコーティングする方法として、まず床面にコーティング剤を塗布し、ローラーを用いて均一の厚みとなるようにコーティング剤を押し広げてから、ＵＶ放射を行うことによりコーティング剤を乾燥硬化させる方法が行われている。
このような床面のコーティング方法として、例えば特許文献１に記載されたものがある。
【特許文献１】特開２００１−３５３４６９号公報
【発明の開示】
【発明が解決しようとする課題】
【０００３】
しかしながら従来の方法では、床面にコーティング剤を引き延ばした後、ＵＶ放射を行って乾燥硬化させるまでの間にコーティング剤上にゴミ等が付着し、コーティング剤の表面が不体裁となってしまうおそれが存した。
このため、さらにコーティング剤を塗り直したり、ゴミの除去や表面を平滑にするためにコーティング剤の表面を削る作業が必要となるといった問題があった。
【課題を解決するための手段】
【０００４】
そこで本発明はこのような問題点に鑑み、コーティング剤の塗り直しや削り作業の必要がなく、簡単な作業によって体裁のよい床面のコーティングを行うことができる床面コーティング方法を提供することを目的とする。
【０００５】
そのため本発明は、フィルムシートの一方の面にコーティング剤を塗布し、コーティング剤が塗布された側の面を床面側に向けてフィルムシートを床面に当接させてフィルムシートの上からローラー掛けを行ってフィルムごと伸展させ、さらにフィルムシートの上からＵＶ放射を行ってコーティング剤を乾燥硬化させた後、フィルムシートを剥離することによって、床面をコーティングするようにした。
また、押さえローラーと、一部がコーティング剤に浸された塗布ローラーとの間にフィルムシートを通すことによって、フィルムシートの一方の面のみにコーティング剤を塗布するものとした。
さらにまた、本発明は、床面にコーティング剤を塗布し、床面に引き延ばした後、コーティング剤表面をフィルムシートで覆い、フィルムシートの上からローラー掛けを行った後に、フィルムシート上からＵＶ放射を行ってコーティング剤を乾燥硬化させ、コーティング剤の乾燥硬化後にフィルムシートを剥離するようにした。
【発明の効果】
【０００６】
本発明によれば、コーティング剤が乾燥硬化した後にフィルムシートを剥離する構成であるため、コーティング剤が乾燥硬化するまでの間は表面がフィルムシートによって覆われた状態となり、コーティング剤の表面にゴミなどが付着することが防止され、仕上げ面を平滑に仕上げることができる。
また、押さえローラーや塗布ローラーを用いることにより、フィルムシートに均一にコーティング剤を塗布することができる。すなわち床面に当接されるコーティング剤の厚みが均一であるため、仕上がり面の凹凸や塗布不良が生じることがない。
【発明を実施するための最良の形態】
【０００７】
次に本発明の実施の形態を実施例により説明する。
図１は、床面コーティング方法を示す模式図である。
床面５にコーティング剤を塗布するため、フィルムシート１と、フィルムシート１にコーティング剤を塗布する塗布装置２と、コーティング剤が塗布されたフィルムシート１を床面に密着させ伸展させるローラー３と、コーティング剤を乾燥硬化させるためのＵＶ照射装置４とを用意する。
【０００８】
フィルムシート１は、ＰＰＬやテフロン（登録商標）等で構成されたものを用いる。本実施例では、ロール状に巻かれたフィルムシートを使用している。
塗布装置２は、フィルムシート１の一方の面にのみコーティング剤２４を塗布するものである。
そのため塗布装置２は、押さえローラー２１と、塗布ローラー２２と、コーティング剤２４を収容する液体槽２３とより構成される。
【０００９】
塗布ローラー２２は一部が液体槽２３内のコーティング剤２４に浸されている。
塗布ローラー２２と押さえローラー２１とを回転させ、フィルムシート１をローラー２１、２２間に通すことにより、フィルムシート１の一方の面にのみコーティング剤２４を均一に塗布することができる。
コーティング剤２４は、ＵＶ放射によって乾燥硬化するＵＶ硬化樹脂を用いる。
塗布装置２は、例えば既存の襖・壁紙貼り機等を用いることができる。
【００１０】
ローラー３は、塗布装置２より送られたフィルムシート１を、床面５に密着させるものである。
このとき、コーティング剤２４が塗布された側の面が床面５側となるようにして、床面５に密着させる。
ＵＶ放射装置４は、コーティング剤２４を乾燥硬化させるものであり、フィルムシート１の上からフィルムシート１と床面５との間のコーティング剤２４を乾燥硬化させる。
【００１１】
次に、コーティング剤２４を床面５に塗布する工程について説明する。
まずフィルムシート１を塗布装置２の押さえローラー２１、塗布ローラー２２間に通し、フィルムシート１の一方の面にコーティング剤２４を塗布する。
次に、塗布装置２より送られたフィルムシート１を、コーティング剤２４が塗布された側の面を床面５側に向け、フィルムシート１の他側の面上よりローラー３によってローラー掛けを行い伸展させる。
次に、ＵＶ放射装置４を用いてフィルムシート１の上からＵＶ放射を行ってコーティング剤２４を乾燥硬化させる。
コーティング剤２４の硬化後にフィルムシート１を剥離すると、床面５上に乾燥硬化したコーティング剤２４のみが残り、床面５がコーティングされる。
【００１２】
本実施例は以上のように構成され、塗布装置２によってフィルムシート１にコーティング剤２４を均一に塗布することができるので、床面５をコーティングしたコーティング剤２４の仕上げ面（表面）に凹凸や塗布不良の発生を防止することができる。
またコーティング剤２４を床面５に塗布した後、コーティング剤２４が乾燥硬化するまでの間はコーティング剤２４の上側がフィルムシート１によって覆われているため、乾燥硬化前にゴミ等が付着することがなく、仕上げ面を平滑に仕上げることができる。
【００１３】
また別の実施例としては、従来法と同様に、床面にコーティング剤を塗布し、床面にローラ、引き伸ばし機等を使用して床面全面にコーティング剤を薄く引き延ばした後、コーティング剤表面にフィルムシートを被せるとともにフィルムシートの上からローラー掛けを行い、その後、フィルムシート上からＵＶ放射を行ってコーティング剤を乾燥硬化させ、コーティング剤の乾燥硬化後にフィルムシートを剥離するようにした。
【００１４】
この別の実施例によれば、コーティング剤の塗布後にコーティング剤表面にほこりが付着したとしても、フィルムを被せた後にローラ掛けを行うようにしたことで、表面に付着したほこりがコーティング剤内に入り込み、均一な仕上げ面を得ることができた。
【００１５】
なお、フィルムシート１として、透過性の異なる、あるいは部分的に異なるフィルムシートを用いることにより、ＵＶ放射装置４から放射されたＵＶの透過度に変化を与えることで、乾燥硬化したコーティング剤２４の仕上げ面に光沢の変化、あるいは模様を形成することも可能となり、変化のある床面を作成することができる。
【図面の簡単な説明】
【００１６】
【図１】床面のコーティング方法を示す模式図である。
【符号の説明】
【００１７】
１    フィルムシート
２    塗布装置
３    ローラー
４    ＵＶ放射装置
５    床面
２１    押さえローラー
２２    塗布ローラー
２３    液体槽
２４    コーティング剤
【図１】
2009273960.tif 000003